(57)【要約】【課題】  配線に応じて、信号線の機能を切り替える。【解決手段】  ＣＰＵ１２は、情報機器１００で実行可能な各種処理を実行する。通信モジュール１６は、ＥＶ−ＤＯ方式やｃｄｍａ２０００  １ｘ方式に準拠した通信処理を実行する。接続端子１０は、非同期シリアル通信信号線の結合コネクタであり、加入者情報書き込みが行われる。切替部１４とモジュール内切替部６０は、ＣＰＵ１２と通信モジュール１６、あるいは接続端子１０と通信モジュール１６を切替可能である。スイッチ１８は、ユーザが切替部１４とモジュール内切替部６０の接続対象を切替えるために操作する機能を有する。表示部２２は、主にＣＰＵ１２の処理結果を表示する。通知部２６は、通信モジュール１６によって制御されるＬＥＤ等である。【選択図】        図１
2005123961.tif 000002
【特許請求の範囲】
【請求項１】
外部の処理装置を着脱し、かつ第１の信号線が結線された接続端子と、
各種処理を実行し、かつ前記第１の信号線と異なった伝送速度の信号を伝送する第２の信号線が結線された制御手段と、
前記制御手段での処理対象のデータに対して、予め記憶した加入者情報にもとづいて、通信処理を実行し、かつ前記第１の信号線と前記第２の信号線に対応可能な第３の信号線が結線された通信モジュールと、
前記第３の信号線との接続対象として、前記第１の信号線と前記第２の信号線を排他的に切替える切替手段とを含み、
前記切替手段は、前記接続端子を介して前記外部の処理装置から前記加入者情報が入力される状態を検出した場合に、前記第１の信号線と前記第３の信号線を接続し、前記制御手段が通信処理を実行させる状態を検出した場合に、前記第２の信号線と前記第３の信号線を接続し、
前記通信モジュールは、前記切替手段での前記第３の信号線の接続対象に応じて、前記第３の信号線の伝送速度を前記接続対象に適応するように変更することを特徴とする情報機器装置。
【請求項２】
前記制御手段に結線された前記第２の信号線は、前記第１の信号線より高速な伝送速度の信号を伝送することを特徴とする請求項１に記載の情報機器装置。
【請求項３】
前記制御手段は、前記第３の信号線との接続対象の切替を前記切替手段に指示する信号を出力し、
前記切替手段は、前記第３の信号線との接続対象の切替を指示した信号に応じて、前記第１の信号線あるいは前記第２の信号線のいずれかと前記第３の信号線を接続することを特徴とする請求項１または２に記載の情報機器装置。
【請求項４】
前記外部の処理装置と前記接続端子との接続を検出する接続検出手段をさらに含み、
前記切替手段は、前記接続検出手段が前記外部の処理装置と前記接続端子との接続を検出した場合に、前記加入者情報が入力される状態を検出したとして、前記第１の信号線と前記第３の信号線を接続することを特徴とすることを特徴とする請求項１または２に記載の情報機器装置。
【請求項５】
前記制御手段の電源のオンおよびオフを管理する電源管理部をさらに含み、
前記電源管理部は、前記切替手段が前記第１の信号線と前記第３の信号線を接続した場合に、前記制御手段の電源をオフにすることを特徴とする請求項１から４のいずれかに記載の情報機器装置。
【請求項６】
前記制御手段の電源オンを検出する電源オン検出手段をさらに含み、
前記切替手段は、前記電源オン検出手段が電源オンを検出した場合に、前記第２の信号線と前記第３の信号線を接続し、前記電源オン検出手段が電源オンを検出しなかった場合に、前記加入者情報が入力される状態を検出したとして、前記第１の信号線と前記第３の信号線を接続することを特徴とすることを特徴とする請求項１または２に記載の情報機器装置。
【請求項７】
前記切替手段での前記第３の信号線との接続対象に応じて、その旨をユーザに通知するための通知手段をさらに含むことを特徴とする請求項１から６のいずれかに記載の情報機器装置。
【発明の詳細な説明】
【技術分野】
【０００１】
本発明は情報機器装置に関する。特に、通信機能を有した情報機器装置に関する。
【背景技術】
【０００２】
近年、次世代の高速無線通信方式としてｃｄｍａ２０００  １ｘ−ＥＶ  ＤＯ（以下、「ＥＶ−ＤＯ」という）方式が開発されている。ＥＶ−ＤＯ方式とは、ｃｄｍａＯｎｅ方式を拡張し第３世代方式に対応させたｃｄｍａ２０００  １ｘ方式を、さらにデータ通信に特化して伝送レートを高速化させた方式である。ここで、「ＥＶ」はＥｖｏｌｕｔｉｏｎ、「ＤＯ」はＤａｔａ  Ｏｎｌｙを意味する。
【０００３】
ＥＶ−ＤＯ方式において、無線通信端末から基地局への上り回線の無線インターフェースの構成はｃｄｍａ２０００  １ｘ方式とほぼ同様である。基地局から無線通信端末への下り回線の無線インターフェース構成については、１．２３ＭＨｚに規定された帯域幅がｃｄｍａ２０００  １ｘ方式と同一である一方、変調方式、多重化方法等がｃｄｍａ２０００  １ｘ方式と大きく異なる。変調方式は、ｃｄｍａ２０００  １ｘ方式において使用されているＱＰＳＫ、ＨＰＳＫに対し、ＥＶ−ＤＯ方式において、ＱＰＳＫ、８−ＰＳＫ、１６ＱＡＭが無線通信端末における下り回線の受信状態に応じて切り替えられる。その結果、受信状態が良好な場合は、誤り耐性が低くかつ高速な伝送レートを使用し、受信状態が悪い場合は、低速であるが誤り耐性の高い伝送レートを使用する。
【０００４】
また、ひとつの基地局から複数の無線通信端末への通信を同時に行うための多重化方法には、ｃｄｍａＯｎｅ方式やｃｄｍａ２０００  １ｘ方式で使用される符号分割多重アクセス（ＣＤＭＡ：Ｃｏｄｅ  Ｄｉｖｉｓｉｏｎ  Ｍｕｌｔｉｐｌｅ  Ａｃｃｅｓｓ）ではなく、時間を１/６００秒単位で分割し、その時間内ではひとつの無線通信端末だけと通信を行い、さらに通信対象となる無線通信端末を単位時間ごとに切り替えて複数の無線通信端末と通信を行う時分割多重アクセス（ＴＤＭＡ：Ｔｉｍｅ  Ｄｉｖｉｓｉｏｎ  Ｍｕｌｔｉｐｌｅ  Ａｃｃｅｓｓ）を使用する。
【０００５】
無線通信端末は、通信対象となる基地局からの下り回線の受信状態としてパイロット信号の搬送波対干渉波比（以下、「ＣＩＲ：Ｃａｒｒｉｅｒ  ｔｏ  Ｉｎｔｅｒｆｅｒｅｎｃｅ  ｐｏｗｅｒ  Ｒａｔｉｏ」という）を測定し、その変動から次の受信タイミングの受信状態を予測し、それから期待される「所定の誤り率以下で受信可能な最高伝送速度」をデータレートコントロールビット（以下、「ＤＲＣ：Ｄａｔａ  Ｒａｔｅ  Ｃｏｎｔｒｏｌ  ｂｉｔ」という)として基地局に通知する。ここで、所定の誤り率は、システム設計に依存するが通常１％程度とされる。基地局は複数の無線通信端末からのＤＲＣを受信し、基地局内のスケジューラ機能が各時分割単位にどの無線通信端末と通信するかを決定するが、各無線通信端末との通信には、基本的に無線通信端末からのＤＲＣをもとに可能な限り高い伝送レートを使用する。
【０００６】
ＥＶ−ＤＯ方式は上記のような構成により下り回線において、セクタあたり最大２．４Ｍｂｐｓ（Ｍｅｇａ−ｂｉｔ  ｐｅｒ  ｓｅｃｏｎｄ）の伝送レートを可能にする。ただし、この伝送レートは、ひとつの周波数帯域と、通常複数有するセクタのうちのひとつにおいて、ひとつの基地局が接続している複数の無線通信端末とのデータ通信量の合計であり、複数の周波数帯域を使用すれば伝送レートも増加する。
【特許文献１】特開２００２−３００６４４号公報
【発明の開示】
【発明が解決しようとする課題】
【０００７】
ｃｄｍａ２０００  １ｘ方式等の携帯電話は、一般的に無線電話網への正当な接続や課金管理等を目的として、通信事業者等によって割り当てられた１台ごとの端末装置固有の加入者情報等の識別情報を有している。このような加入者情報は、通常携帯電話の販売時に店頭で端末装置に書き込まれる。加入者情報の書き込みに先立って、例えばＰＤＣの端末装置に設けられた１６芯のコネクタや、ｃｄｍａＯｎｅ、ｃｄｍａ２０００  １ｘ方式の端末装置に設けられた１８芯のコネクタには、加入者情報の入力のためのシリアル通信線の一方が接続され、当該シリアル通信線の他方がＰＣ等に接続される。さらに、所定の手順でＰＣ等と端末装置間で通信を行い、通信事業者のオペレータ等がＰＣ等から端末装置に加入者情報を書き込む。
【０００８】
ＥＶ−ＤＯ方式は、主としてデータ通信を目的としているため、ユーザが使用する端末装置の形態は、携帯電話のような形態よりも、ＰＣやＰＤＡのような形態である方が、操作性に優れている。特に、ＰＤＡは一般的に小型であり、操作性に加えて、可搬性においても優れている。そのような形態の実現のために、例えば、一辺数センチメートル程度の長方形で、厚さが数ミリメートルから十数ミリメートル程度の大きさを有し、かつＥＶ−ＤＯ方式の通信機能を有した通信モジュールをＰＤＡに内蔵する。
【０００９】
加入者情報の書き込みのための結合コネクタを通信モジュールに設ける場合、サイズ的な制約のため、通信モジュール上の結合コネクタの設置は困難である。加入者情報を書き込む際においても、通信モジュールの動作にはモジュールが搭載される情報機器からの電源供給が必要であり、通信モジュール単独では加入者情報を書き込めない。電源供給及び通信モジュールのインターフェースを結合コネクタに変換する装置を使用する場合、通信モジュールを内蔵したＰＤＡから通信モジュールを取り出し、加入者情報の書き込み装置に装着し、加入者情報を書き込んだ後に加入者情報の書き込み装置から通信モジュールを取り外し、再度ＰＤＡに搭載しなおすという手順が必要である。煩雑であると同時にＰＤＡと通信モジュールの脱着により情報機器と通信モジュールの接続の信頼性が低下する恐れがある。
【００１０】
結合コネクタの接続端子をＰＤＡ本体に設け、接続端子から通信モジュールまでを信号線で接続してもよいが、ＰＤＡのサイズが小さいため、ＰＤＡ内部で信号線が占める面積が、少ないほど好ましい。また、信号線が、ＰＤＡのＣＰＵにも接続された場合、加入者情報がＣＰＵに入力される可能性があり、かかる場合に加入者情報が悪用されるおそれもあるので、セキュリティや通信事業者の管理上の点から、信号線がＣＰＵに入力されないような構造を必要とする。
【００１１】
本発明者はこうした状況を認識して、本発明をなしたものであり、その目的は、外部から加入者情報等の情報を入力する端子を設けて、安全に当該情報を通信モジュールに入力可能な情報機器装置を提供することにある。
【課題を解決するための手段】
【００１２】
本発明のある態様は、情報機器装置である。この装置は、外部の処理装置を着脱し、かつ第１の信号線が結線された接続端子と、各種処理を実行し、かつ前記第１の信号線と異なった伝送速度の信号を伝送する第２の信号線が結線された制御手段と、制御手段での処理対象のデータに対して、予め記憶した加入者情報にもとづいて、通信処理を実行し、かつ第１の信号線と第２の信号線に対応可能な第３の信号線が結線された通信モジュールと、第３の信号線との接続対象として、第１の信号線と第２の信号線を排他的に切替える切替手段とを含む。この装置において、切替手段は、接続端子を介して外部の処理装置から加入者情報が入力される状態を検出した場合に、第１の信号線と第３の信号線を接続し、制御手段が通信処理を実行させる状態を検出した場合に、第２の信号線と第３の信号線を接続し、通信モジュールは、切替手段での第３の信号線の接続対象に応じて、第３の信号線の伝送速度を接続対象に適応するように変更してもよい。
【００１３】
「切替える」には、物理的なスイッチによって切替える場合や、論理的あるいは電子的なスイッチによって切替える場合も含んでよいものとし、入力された所定の信号がいずれか一方に出力されればよいものとする。
【００１４】
以上の装置により、通信モジュールに加入者情報を記憶させる場合には、切替手段が、通信モジュールと接続端子を接続するため、通信モジュールのみに加入者情報を入力でき、一方、通信モジュールで通信する場合には、制御手段と通信モジュールを高速な伝送速度の信号線で接続させるため、高速な信号伝送を実現できる。
【００１５】
制御手段に結線された第２の信号線は、第１の信号線より高速な伝送速度の信号を伝送してもよい。制御手段は、第３の信号線との接続対象の切替を切替手段に指示する信号を出力し、切替手段は、第３の信号線との接続対象の切替を指示した信号に応じて、第１の信号線あるいは第２の信号線のいずれかと第３の信号線を接続してもよい。外部の処理装置と接続端子との接続を検出する接続検出手段をさらに含み、切替手段は、接続検出手段が外部の処理装置と接続端子との接続を検出した場合に、加入者情報が入力される状態を検出したとして、第１の信号線と第３の信号線を接続してもよい。
【００１６】
制御手段の電源のオンおよびオフを管理する電源管理部をさらに含み、電源管理部は、切替手段が第１の信号線と第３の信号線を接続した場合に、制御手段の電源をオフにしてもよい。制御手段の電源オンを検出する電源オン検出手段をさらに含み、切替手段は、電源オン検出手段が電源オンを検出した場合に、第２の信号線と第３の信号線を接続し、電源オン検出手段が電源オンを検出しなかった場合に、加入者情報が入力される状態を検出したとして、第１の信号線と第３の信号線を接続してもよい。切替手段での第３の信号線との接続対象に応じて、その旨をユーザに通知するための通知手段をさらに含んでもよい。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、外部から加入者情報等の情報を入力する端子を設けて、安全に当該情報を通信モジュールに入力可能な情報機器装置を提供できる。
【発明を実施するための最良の形態】
【００１９】
（実施例１）
実施例１は、通信モジュールを内蔵した情報機器に関する。情報機器には、通信処理以外の各種処理を実行するためのＣＰＵが内蔵されており、通常ユーザが情報機器内の記憶領域に格納されたソフトウエアプログラムを実行した場合、当該ＣＰＵによって処理される。一方、ユーザが通信処理を実行する場合には、通信モジュールが単独で通信するため、ＣＰＵと通信モジュール間の信号線を介して、ＣＰＵが通信対象とする情報を通信モジュールに伝送する。当該通信モジュールは、内部に加入者情報を記憶しており、通信の際には記憶した加入者情報を使用する。
【００２０】
そのため、通信処理に先立って通信モジュールに加入者情報を記憶する必要があるが、本実施例に係る情報機器は、ＣＰＵと通信モジュールの間に位置する形で切替部を設けている。切替部は、３端子で構成されており、そのうちのふたつがＣＰＵと通信モジュールにそれぞれ接続されており、残りのひとつが情報機器の筐体に設けられた接続端子に接続されている。通常の通信処理において切替部は、ＣＰＵと通信モジュールを接続し、加入者情報を書き込みする場合に切替部は、接続端子と通信モジュールを接続する。その結果、加入者情報がＣＰＵに伝送されることがなくなる。
【００２１】
通信モジュールと接続端子間は、加入者情報を伝送する程度なので、高速な伝送速度を要求しない。一方、通信モジュールとＣＰＵ間は、通信対象のデータを伝送するため、伝送速度が高速な方が望ましい。そのため、これらに対応して別の信号線を設けた場合、信号線の本数が増加すると共に、通信モジュールに設ける信号線の端子数が増加する。本実施例ではこれらの信号線を共用し、前述の切替部の動作にあわせて、通信モジュール内で信号線の機能を切り換える。
【００２２】
図１は、実施例１に係る情報機器１００の構成を示す。情報機器１００は、接続端子１０、ＣＰＵ１２、切替部１４、通信モジュール１６、スイッチ１８、メモリ２０、表示部２２、操作部２４、通知部２６を含み、また通信モジュール１６は、通信用ＣＰＵ２８、通信用メモリ３０、処理部３２、ＲＦ部３４、モジュール内切替部６０を含む。切替部１４は、接点ＡからＦを含み、モジュール内切替部６０は、接点ＧからＬを含む。また信号線として、モジュール信号線２００を含む。外部に、外部機器１１０、外部機器用端子３６が存在する。
【００２３】
ＣＰＵ１２は、情報機器１００で実行可能な各種処理を実行する。特にＣＰＵ１２は、メモリ２０と連携して、メモリ２０に記憶されたソフトウエアプログラムを実行する。そのようなプログラムの一例は、文書作成、スケジュール管理、メールクライアントなどである。また、メモリ２０は、前述のソフトウエアプログラムを一時的に記憶するものであってもよいし、所定の指示によって削除されるまで記憶するものであってもよく、さらにそれらの組合せであってもよい。
【００２４】
通信モジュール１６は、ＥＶ−ＤＯ方式やｃｄｍａ２０００  １ｘ方式に準拠した通信処理を実行する。ＲＦ部３４は、無線信号の送受信処理を実行し、処理部３２は、ベースバンド信号の変復調処理、拡散処理や逆拡散処理、誤り訂正処理、再送処理等を実行し、通信用ＣＰＵ２８は、ＲＦ部３４や処理部３２における制御処理を実行する。さらに、通信用メモリ３０には、予め通信事業者から提供された電話番号等の加入者情報が記憶されており、必要に応じて、特に通信用ＣＰＵ２８によって、読み出される。モジュール内切替部６０は、スイッチ１８からの指示にもとづいて、切替部１４と連動して動作する。
【００２５】
接続端子１０は、ＥＶ−ＤＯ方式やｃｄｍａ２０００  １ｘ方式携帯電話用に規定された１８芯の結合コネクタであり、非同期シリアル通信信号線を含む。ｃｄｍａＯｎｅ、ｃｄｍａ２０００  １ｘ方式の携帯電話型通信端末で、１８芯結合コネクタ中に２系統の非同期シリアル通信信号線が定義され、このうちの１系統で加入者情報書き込みが行われる。ＰＤＣの場合でも、１６芯結合コネクタ中に非同期シリアル信号線が定義され、加入者情報書き込みに使用される。なお、非同期シリアル通信信号線の代わりに、ＵＳＢ信号線よりも高速な信号線であってもよい。
【００２６】
切替部１４は、接続端子１０、ＣＰＵ１２、通信モジュール１６からの信号線を切替える。切替部１４は、ＣＰＵ１２と通信モジュール１６、あるいは接続端子１０と通信モジュール１６を切替可能である。ここで、切替部１４とモジュール内切替部６０によるＣＰＵ１２、通信モジュール１６、接続端子１０間の信号線の接続を説明する。ＣＰＵ１２は４本の信号線と結線され、通信用ＣＰＵ２８は６本の信号線と結線される。そのうちの２本である第１モジュール信号線２００ａと第４モジュール信号線２００ｄが、ＣＰＵ１２と通信用ＣＰＵ２８を直結するＶＢＵＳ（電源）とＧＮＤ（接地）にそれぞれ対応する。
【００２７】
切替部１４は、端子ＡからＦを含んでおり、ＣＰＵ１２と結線される端子ＢとＥはそれぞれ双方向信号線のＤ＋とＤ−に対応する。その結果、端子ＡとＢ、端子ＤとＥが接続された場合は、モジュール信号線２００がＵＳＢ信号線に相当する。一方、端子ＣとＦは接続端子１０に結線されており、それぞれＴｘＤ（送信データ線）とＲｘＤ（受信データ線）に対応する。その結果、端子ＡとＣ、端子ＤとＦが接続された場合は、モジュール信号線２００が非同期シリアル信号線に相当する。モジュール内切替部６０は、端子ＧからＬを含んでおり、端子ＨとＫはそれぞれ双方向信号線のＤ＋とＤ−に対応する。また端子ＩとＬは、それぞれＴｘＤ（送信データ線）とＲｘＤ（受信データ線）に対応する。
【００２８】
以上の構成による切替部１４とモジュール内切替部６０の動作は以下の通りである。ＣＰＵ１２と通信用ＣＰＵ２８の間で信号を伝送する場合、切替部１４の端子ＡとＢ、端子ＤとＥが接続され、モジュール内切替部６０の端子ＧとＨ、端子ＪとＫが接続されて、モジュール信号線２００はＵＳＢ信号線の役割を担う。また、接続端子１０と通信用ＣＰＵ２８の間で信号を伝送する場合、切替部１４の端子ＡとＣ、端子ＤとＦが接続され、モジュール内切替部６０の端子ＧとＩ、端子ＪとＬが接続されて、モジュール信号線２００は非同期シリアル信号線の役割を担う。なお、どちらの場合においても、通信モジュール１６は４本の信号線であるモジュール信号線２００をインタフェースとしている。また、モジュール信号線２００は、ＵＳＢ信号線あるいは非同期シリアル信号線に応じて、伝送速度も変化させられるものとする。以下の説明でＣＰＵ１２と通信モジュール１６との接続、あるいは接続端子１０と通信モジュール１６との接続という場合は、切替部１４とモジュール内切替部６０が前述のごとく動作しているが、それらの説明は省略するものとする。
【００２９】
スイッチ１８は、ユーザが切替部１４とモジュール内切替部６０の接続対象を切替えるために操作する機能を有する。ＣＰＵ１２から通信モジュール１６を使用する場合は、通信モジュール１６とＣＰＵ１２を接続するようにスイッチ１８を操作し、接続端子１０に外部機器用端子３６を介して外部機器１１０を接続し、外部機器１１０から通信モジュール１６を使用するときは通信モジュール１６と接続端子１０を接続するようスイッチ１８を操作する。
【００３０】
表示部２２は、主にＣＰＵ１２の処理結果を表示する。一例には液晶ディスプレイ部等であるが、いわゆるメインディスプレイでもよいし、情報機器１００が折り畳み型等の場合でサブディスプレイを有するときはサブディスプレイであってもよい。一方、切替部１４とモジュール内切替部６０によって、接続端子１０と通信モジュール１６が接続された場合、ＣＰＵ１２は切替部１４の状態を判定し、ＣＰＵ１２からは通信モジュール１６の機能が使用できない旨を表示部２２に表示する。
【００３１】
操作部２４は、ユーザが情報機器１００に所定の要求を入力するための部分であり、キーボードやボタン等で構成される。ハードウエアである必要はなく、表示部２２内に表示されるソフトウエアキーボード等であってもよい。
【００３２】
通知部２６は、通信モジュール１６によって制御されるＬＥＤ等である。通知部２６によって、ＣＰＵ１２が非動作状態でも、通信モジュール１６の動作をユーザに通知できる。通知内容は、通信モジュール１６の動作・非動作や通信中や待ち受け中等の動作状態、圏外や受信強度等であって、色や点灯／消灯、点滅／非点滅、点滅周期等を利用して通知する。従来のＰＣＭＣＩＡカードタイプ等では例えば、カード上にＬＥＤがあるが、内蔵してしまう通信モジュール１６では通信モジュール１６上にＬＥＤを設けてもユーザには見えないので情報機器１００の筐体にＬＥＤを用意し、通信モジュール１６から制御する。情報機器１００がオフでもＬＥＤが使用可能である。
【００３３】
さらに、ｃｄｍａＯｎｅ、ｃｄｍａ２０００  １ｘ方式の携帯電話型通信端末では接続端子１０に接続される制御線は１８芯結合コネクタ中に音声入出力（アナログ、シングルエンド）信号線を含んでいる。通信モジュール１６の音声入出力端子と接続端子１０の音声入出力信号端子を接続することにより、接続端子１０が加入者情報書き込み等非同期シリアル信号を用いる用途以外に、ハンズフリー装置等音声入出力を使用する用途にも用いることができる。
【００３４】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここでは接続端子１０、ＣＰＵ１２、切替部１４、通信モジュール１６等による構成を描いている。したがって、これらの機能ブロックがハードウエアのみ、ソフトウエアのみ、またはそれらの組合せによっていろいろな形で実現できることは、当業者には理解されるところである。
【００３５】
図２（ａ）−（ｂ）は、情報機器１００の外観の裏側と表側を示す。図２（ａ）は、情報機器１００の裏側であり、接続端子１０を覆うように、蓋３８、第１取付ネジ４０、第２取付ネジ４２が設けられている。情報機器１００において、接続端子１０の用途が加入者情報書き込み等の通信事業者による端末保守のみを目的とし、ユーザによる電話帳編集やＰＣ等との接続を不要とする場合は、図示のごとく情報機器１００の裏面や側面等に接続端子１０を設け、さらに蓋３８で覆い、第１取付ネジ４０、第２取付ネジ４２で固定する。ここで、第１取付ネジ４０と第２取付ネジ４２は、一般的なプラスネジ、マイナスネジ以外の三ツ矢型や星型等、携帯電話等でユーザによる分解を禁止するために使用している特殊ネジと同様のものとする。図２（ｂ）は、情報機器１００の表側であり、表示部２２、操作部２４、通知部２６が設けられている。接続端子１０がユーザにとって不必要なものであれば、上記構造によってユーザが不用意に接続端子１０にＰＣ等を接続することを防げる。なお、上記構造以外であっても、ユーザが不用意に接続端子１０にＰＣ等を接続することを防ぐ構造であればよい。
【００３６】
図３は、表示部２２の表示の一例を示す。表示部２２の表示内容はユーザが、操作部２４から、情報機器１００に内蔵された通信モジュール１６を使用できないことを認識できるもので、例えば「通信機能は外部に切り替えられています」等の文字表示であってもよいし、任意のアイコン表示等でもよい。
【００３７】
本実例によれば、加入者情報を入力するための信号線が、情報機器内部で通信のために使用される信号線の一部と共用されるため、信号線が占有する面積を削減できる。また、信号線の接続形態に応じて、伝送速度を変えるため、高速な伝送速度による通信を可能にする。また、通信モジュールの端子数を削減できるため、回路構成を簡易にできる。また、接続端子から入力された加入者情報が、ＣＰＵに入力されないため、セキュリティの面からも安全である。また、加入者情報の書き込みを実行している際に、その旨が表示部に表示されるため、ユーザが動作を容易に認識できる。また、加入者情報の書き込みを実行している際に、その旨が通知部から通知されるため、例え情報機器のＣＰＵが停止していても、ユーザに動作を容易に認識させることができる。
【００３８】
（実施例２）
実施例２は、実施例１と同様に通信モジュールを内蔵した情報機器に関する。実施例２では、切替部とモジュール内切替部の切替方法が実施例１と異なっており、外部機器の接続端子が、本情報機器の接続端子に接続された場合に、それを検出して切替部とモジュール内切替部は、通信モジュールと本情報機器の接続端子を接続する。一方、外部機器の接続端子と、本情報機器の接続端子の接続が検出されなかった場合には、切替部とモジュール内切替部は、通信モジュールとＣＰＵを接続する。
【００３９】
図４は、実施例２に係る情報機器１００の構成を示す。図４の情報機器１００は、図１の情報機器１００と比較して、接続検出部４４が追加されている。なお、図４の情報機器１００では、図１の情報機器１００における通知部２６など、本実施例の説明に関係のない部分は図示していない。現実的には、存在してもかまわない。
【００４０】
接続検出部４４は、図示しない外部機器１１０の外部機器用端子３６が接続端子１０に挿入されたことを検出する。切替部１４は接続検出部４４の検出結果に基づき、外部機器１１０の外部機器用端子３６が挿入された場合は通信モジュール１６と接続端子１０を接続し、外部機器１１０の外部機器用端子３６が挿入されていない場合は、通信モジュール１６とＣＰＵ１２を接続する。また、切替部１４での接続に連動して、通信モジュール１６内の図示しないモジュール内切替部６０を前述のごとく接続する。
本実施例によれば、切替部の切替を外部機器の接続に連動して行うため、加入者情報の書き込み処理の作業工程数が減少し、作業の容易化が可能になる。
【００４１】
（実施例３）
実施例３は、実施例１と同様に通信モジュールを内蔵した情報機器に関する。実施例３では、切替部とモジュール内切替部の切替方法が実施例１と異なっており、接続端子の中に、外部機器からの加入者情報の入力の指示を受け付けるための指示端子が設けられている。本情報機器に加入者情報を書き込む場合、ユーザは外部機器を操作して、加入者情報の入力の指示を指示端子に伝送する。当該指示が受け付けられると、切替部とモジュール内切替部は通信モジュールと接続端子を接続する。一方、通常の状態において切替部とモジュール内切替部は、通信モジュールとＣＰＵを接続する。
図５は、実施例３に係る情報機器１００の構成を示す。図５の情報機器１００は、図１の情報機器１００に比較して、制御信号線４６が追加されている。
【００４２】
制御信号線４６は、接続端子１０に接続される信号線の一部であり、通信モジュール１６に加入者情報を書き込む際の指示を伝送する制御線である。制御信号線４６は、接続端子１０から通信モジュール１６へ接続される。ＥＶ−ＤＯ方式やｃｄｍａ２０００  １ｘ方式の携帯電話型通信端末の通信モジュール１６は１８芯結合コネクタ中２本の移動機操作部制御信号１，２として規定され、２本の状態により電源強制オン、強制オフ、非制御等の通信端末の動作が定義されている。通信モジュール１６は制御信号線４６の状態に応じて電源オン、電源オフするため、図示しない外部機器１１０は、情報機器１００本体の動作・非動作に関わらず、図示しない外部機器１１０から制御信号線４６を介して、通信モジュール１６の動作を制御できる。
本実施例によれば、切替部とモジュール内切替部の切替を外部機器から実行できるため、切替処理を容易にできる。
【００４３】
（実施例４）
実施例４は、実施例１と同様に通信モジュールを内蔵した情報機器に関する。実施例４では、これまでの実施例で示した方法で、切替部とモジュール内切替部が通信モジュールと接続端子を接続した場合に、それを検出してＣＰＵの電源をオフにする。すなわち、外部機器による加入者情報の書き込み処理の実行中は、通信モジュールを中心とした書き込み処理に必要な部分のみの電源がオンされている。
【００４４】
図６は、実施例４に係る情報機器１００の構成を示す。図６の情報機器１００は、図１の情報機器１００に比較して、接続検出部４４、通信用電源制御部４８、情報機器用電源制御部５０、電池５２が追加されている。
【００４５】
通信用電源制御部４８と情報機器用電源制御部５０は、電池５２から電源の供給を受け、それぞれ通信モジュール１６とＣＰＵ１２とともに電源を制御する。情報機器１００に内蔵された通信モジュール１６は、情報機器１００に内蔵された電池５２から電源の供給を受け、通信モジュール１６内の通信用電源制御部４８と通信用ＣＰＵ２８が、通信モジュール１６の電源を制御する。一方、情報機器１００本体側は同じく電池５２から電源の供給を受け、情報機器１００内の情報機器用電源制御部５０及びＣＰＵ１２が、電源及び動作を制御する。情報機器用電源制御部５０はＣＰＵ１２により制御され、ＣＰＵ１２や表示部２２に電源を供給する。
【００４６】
情報機器１００が通信モジュール１６を使用して通信を行う場合は通信モジュール１６の通信用電源制御部４８は通信用ＣＰＵ２８を含む通信モジュール１６内各部に電源を供給し、また情報機器用電源制御部５０はＣＰＵ１２や表示部２２に電源を供給し、情報機器１００本体及び通信モジュール１６とも電源が供給された動作状態となる。一方、電池５２の消費節減のため、通信モジュール１６及び情報機器１００本体においてそれぞれ動作が不要の時は通信モジュール１６内の通信用ＣＰＵ２８及びＣＰＵ１２の判断により電源供給が個別に制御され、不要な部分あるいは全体の電源供給を停止することなどにより動作を停止あるいは消費電流を低減する。
【００４７】
より具体的に説明すれば、接続検出部４４の出力は、切替部１４と図示しないモジュール内切替部６０の切り替えを制御すると同時にＣＰＵ１２に入力され、ＣＰＵ１２は接続検出部４４の出力にもとづいて接続端子１０の状態を判定する。図示しない外部機器１１０からの外部機器用端子３６が挿入されているとき、すなわち通信モジュール１６と接続端子１０が接続され、通信モジュール１６が外部機器１１０から直接制御されるときは、情報機器１００本体の機能は不要のため、情報機器用電源制御部５０を制御して情報機器１００本体を電源オフ、休止状態または節電モードのような消費電流を低減するモードに切り替える。これにより、外部機器１１０が通信モジュール１６を使用しているときに、情報機器１００本体による無用な電力消費を削減することが出来る。
【００４８】
なお、通信モジュール１６における消費電力低減のための動作状態には、通信用ＣＰＵ２８への電源供給を停止した完全な機能停止状態や、数秒に１回程度タイマで起動して無線受信状態を監視し、自局あての呼び出しが無ければタイマ以外を休止状態にして平均的な消費電流を低減するような間欠待ち受け状態があってもよい。また、情報機器１００本体における消費電力低減のための動作状態には、各部への電源供給を停止した完全な機能停止状態、表示部２２のみに電源を供給している休止状態や各部に電源は供給しているがＣＰＵ１２等の動作クロックを低下させ、消費電力を少なくした節電モード等があってもよい。
本実施例によれば、加入者情報の書き込み処理を行う場合に、ＣＰＵの電源をオフにできるため、低消費電力化が可能になる。
【００４９】
（実施例５）
実施例５は、実施例１と同様に通信モジュールを内蔵した情報機器に関する。実施例３では、切替部とモジュール内切替部の切替方法が実施例１と異なっており、ＣＰＵの電源がオフにされた場合、これを検出して、切替部とモジュール内切替部が通信モジュールと接続端子を接続する。一方、通常の状態において切替部は、通信モジュールとＣＰＵを接続する。実施例４と比較すると、ＣＰＵの電源のオンまたはオフと、切替部とモジュール内切替部の切替のタイミングの関係が、反対になっている。
図７は、実施例５に係る情報機器１００の構成を示す。図７の情報機器１００は、図１の情報機器１００に比較して、電源スイッチ５４が追加されている。
【００５０】
電源スイッチ５４は、情報機器１００本体のスイッチであり、ここでは、電源スイッチ５４と連動して切替部１４と図示しないモジュール内切替部６０を切り替える。情報機器１００が電源オンの場合は、通信モジュール１６とＣＰＵ１２を接続し、情報機器１００あるいはＣＰＵ１２が電源オフの場合は、通信モジュール１６と接続端子１０を接続するよう構成する。これにより、情報機器１００が非動作状態のときすなわち通信モジュール１６とＣＰＵ１２が通信を行う必要が無く、かつ図示しない外部機器１１０が通信モジュール１６を使用する場合、なんら切り替え操作等を行うことなく接続端子１０経由で使用できる。
本実施例によれば、加入者情報の書き込み処理を行う場合に、ＣＰＵの電源をオフにできるため、低消費電力化が可能になる。
【００５１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５２】
実施例１において、切替部１４とモジュール内切替部６０の切替は、スイッチ１８の切替によってなされている。しかしこれに限らず例えば、ＣＰＵ１２に対する操作部２４を介したユーザの操作、あるいはＣＰＵ１２における条件判断にもとづいてなされてもよい。例えば、ＣＰＵ１２が通信モジュール１６を使用しないように操作部２４を介して操作された場合は、通信モジュール１６と接続端子１０を接続、ＣＰＵ１２が通信モジュール１６を使用するように操作部２４を介して操作された場合は、通信モジュール１６とＣＰＵ１２を接続することがある。本変形例によれば、スイッチ１８が不要になり、情報機器１００をさらに小型化できる。
【００５３】
実施例５において、切替部１４とモジュール内切替部６０の切替は、電源スイッチ５４の切替によってなされている。しかしこれに限らず例えば、図１の操作部２４によって情報機器１００本体の電源オン・オフ等の制御を行う構成において、ＣＰＵ１２は操作部２４経由でのユーザによる情報機器１００のオフ操作、またはＣＰＵ１２による自立的な情報機器１００の非動作状態への移行の際、切替部１４とモジュール内切替部６０が、接続端子１０と通信モジュール１６を接続してから電源オフしてもよい。本変形例によれば、電源スイッチ５４が不要になり、情報機器１００をさらに小型化できる。
【００５４】
実施例１から５において、情報機器１００をＰＤＡとしているが、これはＰＤＡ以外でもよく、ＰＣであってもよい。本変形例によれば、様々な情報機器装置に本発明を適用可能である。つまり、デジタル化された情報が処理できればよい。
【００５５】
実施例１を実施例２から実施例５に組み合わせた実施例もそれぞれ有効である。この組合せによって、実施例２から実施例５において、切替部１４とモジュール内切替部６０の切替に応じて、表示部２２に所定のメッセージが表示され、通知部２６を介して所定の情報が通知される。
【００５６】
実施例４を実施例２に組み合わせた実施例もそれぞれ有効である。この組合せによって、制御信号線４６の内容に応じて、ＣＰＵ１２の電源がオフにされる。
【図面の簡単な説明】
【００５７】
【図１】実施例１に係る情報機器の構成を示す図である。
【図２】図２（ａ）−（ｂ）は、図１の外観の裏側と表側を示す図である。
【図３】図１の表示部の表示の一例を示す図である。
【図４】実施例２に係る情報機器の構成を示す図である。
【図５】実施例３に係る情報機器の構成を示す図である。
【図６】実施例４に係る情報機器の構成を示す図である。
【図７】実施例５に係る情報機器の構成を示す図である。
【符号の説明】
【００５８】
１０  接続端子、  １２  ＣＰＵ、  １４  切替部、  １６  通信モジュール、  １８  スイッチ、  ２０  メモリ、  ２２  表示部、  ２４  操作部、  ２６  通知部、  ２８  通信用ＣＰＵ、  ３０  通信用メモリ、  ３２  処理部、  ３４  ＲＦ部、  ３６  外部機器用端子、  ３８  蓋、  ４０  第１取付ネジ、  ４２  第２取付ネジ、  ４４  接続検出部、  ４６  制御信号線、  ４８  通信用電源制御部、  ５０  情報機器用電源制御部、  ５２  電池、  ５４  電源スイッチ、  ６０  モジュール内切替部、  １００  情報機器、  １１０  外部機器、  ２００  モジュール信号線。
【図１】
2005123961.tif 000003
【図２】
2005123961.tif 000004
【図３】
2005123961.tif 000005
【図４】
2005123961.tif 000006
【図５】
2005123961.tif 000007
【図６】
2005123961.tif 000008
【図７】
2005123961.tif 000009